(57)【要約】【課題】エアカーテンを乱すことなく棚板の前端部に物品陳列容器を設置することができるショーケース及び物品陳列容器を提供する。【解決手段】ショーケース１０は、棚板１４を有する商品陳列室１６と、商品陳列室１６の上側に設けられ、下方に向けて空気を吹き出す吹出口３０と、商品陳列室１６の下側に設けられ、空気を吸い込む吸込口３２とを備え、吹出口３０から吹き出した空気を吸込口３２から吸い込むことで、商品陳列室１６の前面側に空気の流れる層であるエアカーテンＡを形成するものであり、商品陳列室１６の前方に突出するように棚板１４の前端部に取り付けされた商品トレイ２０を備え、該商品トレイ２０の商品収容部３６と棚板１４との間に、吹出口３０から吸込口３２へと流れる空気を通過させる空気通過孔４０を設けて構成されている。【選択図】図１
2014198069.tif 000002
【特許請求の範囲】
【請求項１】
棚板を有する物品陳列室と、
前記物品陳列室の上側に設けられ、下方に向けて空気を吹き出す吹出口と、
前記物品陳列室の下側に設けられ、空気を吸い込む吸込口と、
を備え、前記吹出口から吹き出した空気を前記吸込口から吸い込むことで、前記物品陳列室の前面側に空気の流れる層を形成するショーケースであって、
前記物品陳列室の前方に突出するように前記棚板の前端部に設けられた物品陳列容器を備え、該物品陳列容器の物品収容部と前記棚板との間に、前記吹出口から前記吸込口へと流れる空気を通過させる空気通過孔を設けたことを特徴とするショーケース。
【請求項２】
請求項１記載のショーケースにおいて、
前記物品陳列容器は、物品を収容する前記物品収容部と、前記棚板の前端部に対して取り付けされる取付部と、該取付部と前記物品収容部との間を連結する連結部とを有し、該連結部に前記空気通過孔が形成されていることを特徴とするショーケース。
【請求項３】
請求項１記載のショーケースにおいて、
前記棚板の前端部には、該棚板の前端面に対して所定の隙間を有して固定されることで、該前端面との間に前記空気通過孔を形成する空気ガイド板が設けられ、
前記物品陳列容器は、前記空気ガイド板に対して取り付けされることを特徴とするショーケース。
【請求項４】
請求項１〜３のいずれか１項に記載のショーケースにおいて、
前記物品陳列容器は、前記棚板の前端部に着脱可能であることを特徴とするショーケース。
【請求項５】
棚板を有する物品陳列室の上側に設けられ、下方に向けて空気を吹き出す吹出口と、前記物品陳列室の下側に設けられ、空気を吸い込む吸込口とを備え、前記吹出口から吹き出した空気を前記吸込口から吸い込むことで、前記物品陳列室の前面側に空気の流れる層を形成するショーケースに設置される物品陳列容器であって、
当該物品陳列容器は、前記物品陳列室の前方に突出するように前記棚板の前端部に設けられるものであり、物品を収容する物品収容部と前記棚板の前端部に対して取り付けされる取付部との間に、前記吹出口から前記吸込口へと流れる空気を通過させる空気通過孔を有することを特徴とする物品陳列容器。
【発明の詳細な説明】
【技術分野】
【０００１】
本発明は、物品が陳列される物品陳列室の前面側に空気を流してエアカーテンを形成したショーケース及び物品陳列容器に関する。
【背景技術】
【０００２】
食品等の商品の温蔵や冷蔵を行うためのショーケースが設置されるコンビニエンスストアやスーパーマーケット等の店舗では、例えば、商品であるサラダ等が陳列された棚板の前端部に商品トレイ（商品陳列容器）を設置し、この商品トレイ内に少量パックのドレッシング類等を複数種類陳列することが行われている。これにより、客は、購入するサラダに合わせたドレッシングをその好みに応じて選択することができ、利便性が高いものとなっている。
【０００３】
通常、このようなショーケースでは、棚板を複数段設けた商品陳列室の前面開口にエアカーテンを形成することで冷気の漏出を抑制し、商品陳列室の庫内温度を安定化させている。ところが、上記のような商品トレイを商品陳列室の前面側に設置した場合には、その前面上側の吹出口から下側の吸込口へと向かうエアカーテンの空気流れの中に商品トレイが介在してエアカーテンを形成する空気流れが乱され、商品陳列室の庫内温度が不安定になる可能性がある。
【０００４】
そこで、特許文献１には、エアカーテンを形成する空気流れに支障を来たすことなく商品トレイを設置するために、商品陳列室に複数段設置される棚板のうち、所定の棚板を商品トレイが設置された専用の棚板と交換する構成が開示されている。この専用の棚板は、その前端部に商品トレイを一体的に設けつつ、全体として他の棚板と前後方向寸法を一致させたものであり、商品陳列室から前方への商品トレイの突出をなくし、エアカーテンを乱さない構成となっている。
【先行技術文献】
【特許文献】
【０００５】
【特許文献１】特開２０００−２８７７９４号公報
【発明の概要】
【発明が解決しようとする課題】
【０００６】
ところが、上記特許文献１の構成では、エアカーテンを形成する空気流れを乱さないために、商品トレイを設けた棚板の前後方向寸法を他の棚板よりも短いものとしているため、その棚板自体の商品収納量が低下する。
【０００７】
本発明は、上記従来技術の課題を考慮してなされたものであり、エアカーテンを乱すことなく棚板の前端部に物品陳列容器を設置することができるショーケース及び物品陳列容器を提供することを目的とする。
【課題を解決するための手段】
【０００８】
本発明に係るショーケースは、棚板を有する物品陳列室と、前記物品陳列室の上側に設けられ、下方に向けて空気を吹き出す吹出口と、前記物品陳列室の下側に設けられ、空気を吸い込む吸込口とを備え、前記吹出口から吹き出した空気を前記吸込口から吸い込むことで、前記物品陳列室の前面側に空気の流れる層を形成するショーケースであって、前記物品陳列室の前方に突出するように前記棚板の前端部に設けられた物品陳列容器を備え、該物品陳列容器の物品収容部と前記棚板との間に、前記吹出口から前記吸込口へと流れる空気を通過させる空気通過孔を設けたことを特徴とする。
【０００９】
また、本発明に係る物品陳列容器は、棚板を有する物品陳列室の上側に設けられ、下方に向けて空気を吹き出す吹出口と、前記物品陳列室の下側に設けられ、空気を吸い込む吸込口とを備え、前記吹出口から吹き出した空気を前記吸込口から吸い込むことで、前記物品陳列室の前面側に空気の流れる層を形成するショーケースに設置される物品陳列容器であって、当該物品陳列容器は、前記物品陳列室の前方に突出するように前記棚板の前端部に設けられるものであり、物品を収容する物品収容部と前記棚板の前端部に対して取り付けされる取付部との間に、前記吹出口から前記吸込口へと流れる空気を通過させる空気通過孔を有することを特徴とする。
【００１０】
このような構成によれば、棚板の前端部に物品陳列容器を設けるため、物品陳列容器を設置した棚板自体の商品収容量が低減されることなく、該物品陳列容器による利便性が追加される。しかも物品陳列容器の物品収容部と棚板との間に設けた空気通過孔によって、吹出口から吸込口へと向かう空気の流れる層（エアカーテン）での空気流れが乱れることを防止できる。これにより、物品陳列容器による高い利便性と、エアカーテンによる高い保冷性能とを両立させることができる。
【００１１】
前記物品陳列容器は、物品を収容する前記物品収容部と、前記棚板の前端部に対して取り付けされる取付部と、該取付部と前記物品収容部との間を連結する連結部とを有し、該連結部に前記空気通過孔が形成された構成としてもよい。そうすると、物品陳列容器の棚板への設置位置や設置数等に関わらず、物品陳列容器が棚板に装着されている際には必ずエアカーテンの通過用の空気通過孔を設置することができ、空気流れの乱れを確実に防止できる。
【００１２】
前記棚板の前端部には、該棚板の前端面に対して所定の隙間を有して固定されることで、該前端面との間に前記空気通過孔を形成する空気ガイド板が設けられ、前記物品陳列容器は、前記空気ガイド板に対して取り付けされる構成としてもよい。そうすると、物品陳列容器の棚板への設置位置や設置数等に関わらず、棚板の前面側には常にエアカーテンの通過用の空気通過孔が確保され、物品陳列容器が設置されても当然に該空気通過孔が塞がれることはなく、空気流れの乱れを確実に防止できる。
【００１３】
前記物品陳列容器は、前記棚板の前端部に着脱可能であると、その設置や交換のために棚板自体を交換する必要がなく、物品陳列容器の配置や設置数を容易に変更することが可能となり、その利便性が一層向上する。
【発明の効果】
【００１４】
本発明によれば、物品陳列容器の物品収容部と棚板との間に設けた空気通過孔によって、吹出口から吸込口へと向かう空気の流れる層（エアカーテン）での空気流れが乱れることを防止できる。これにより、物品陳列容器による高い利便性と、エアカーテンによる高い保冷性能とを両立させることができる。
【図面の簡単な説明】
【００１５】
【図１】図１は、本発明の第１の実施形態に係るショーケースの構成を模式的に示す側面断面図である。
【図２】図２は、図１に示す棚板に対する商品トレイの着脱構造を示す分解斜視図である。
【図３】図３は、図２に示す棚板に商品トレイを取り付けた状態での要部拡大側面図である。
【図４】図４は、図３に示す商品トレイの構成図であり、図４（Ａ）は、平面図であり、図４（Ｂ）は、正面図であり、図４（Ｃ）は側面図である。
【図５】図５は、本発明の第２の実施形態に係るショーケースの構成を模式的に示す側面断面図である。
【図６】図６は、図５に示すショーケースの棚板の平面図である。
【図７】図７は、図６に示す棚板の前端部周辺を示す側面図である。
【図８】図８は、図４に示す商品トレイの変形例に係る商品トレイの平面図である。
【発明を実施するための形態】
【００１６】
以下、本発明に係るショーケースについて、このショーケースに設置される物品陳列容器との関係で好適な実施の形態を挙げ、添付の図面を参照しながら詳細に説明する。
【００１７】
１．  第１の実施形態に係るショーケースの説明
図１は、本発明の第１の実施形態に係るショーケース１０の構成を模式的に示す側面断面図である。このショーケース１０は、コンビニエンスストアやスーパーマーケット等の店舗に設置され、食品や飲料等の商品の冷凍や冷蔵を行うためのコールドショーケースである。ショーケース１０は、コンビニエンスストア等の店舗以外に設置されるものであってもよく、一般的産業分野の工場等に設置され、商品以外の保冷を必要とする各種物品の保管等に用いることもでき、また内部を周囲温度よりも高温とし、物品を高温で保温するホットショーケース等に用いることもできる。
【００１８】
先ず、ショーケース１０の全体構成について説明する。
【００１９】
図１に示すように、ショーケース１０は、前面に開口１２ａが形成された略直方体形状の断熱筐体であるケース本体１２と、ケース本体１２の内部に棚板１４を複数段設置して構成された商品陳列室（物品陳列室）１６と、開口１２ａにエアカーテンＡを形成すると共に、商品陳列室１６内を冷却する空気循環装置１８とを有し、所望の棚板１４の前端部に商品トレイ（物品陳列容器）２０を着脱可能である。
【００２０】
商品陳列室１６は、ケース本体１２内に画成されており、前面の開口１２ａを通じて外部と連通し、該開口１２ａから商品を出し入れすることができる。商品陳列室１６の天面には天板１６ａが設けられ、底面には底板１６ｂが設けられ、側面には図示しない側板が設けられ、背面には背面板１６ｃが設けられている。以下では、当該ショーケース１０の使用形態を考慮し、ケース本体１２の開口１２ａ側を前方（前側、前面側）と呼び、背面板１６ｃ側を後方（後側）と呼んで説明する。
【００２１】
棚板１４は、商品陳列室１６の庫内で上下方向に複数段（図１では７段の構成を例示）設置され、商品が載置・陳列される商品陳列棚であり、背面板１６ｃに固定されて前方へと突出した一対の支持アーム２１，２１間に設置されている（図２も参照）。ショーケース１０では、最下段の棚板１４の下方にある底板１６ｂも商品陳列棚として利用される。棚板１４は、平面視略矩形状に形成されており、その上面前端部には、棚板１４上に載置された商品が該棚板１４の前端縁部から落下することを防止するガード部材２２が左右幅方向に渡って立設されている。ガード部材２２は、商品の値段等を表示するカード（プライスカード）を設置するためのプライスカード取付用レールとしても利用される。
【００２２】
空気循環装置１８は、エアカーテンＡを形成すると共に商品陳列室１６内を冷却する空気が流通する空気通路２４と、空気通路２４に空気を循環させる循環ファン２６と、空気通路２４を流通する空気を冷却する冷却器２８とを備える。冷却器２８は、図示しない圧縮機や凝縮器、膨張装置等と共に冷媒回路を構成した公知の冷凍回路の一要素である。
【００２３】
空気通路２４は、天板１６ａの上側に形成された上部ダクト２４ａと、底板１６ｂの下側に形成された下部ダクト２４ｂと、これら上部ダクト２４ａと下部ダクト２４ｂとの間を連通するように背面板１６ｃの後側に形成された背部ダクト２４ｃとから構成されている。上部ダクト２４ａの前端部（下流側端部）には、商品陳列室１６の上側で下方に向かって開口し、下方に向けて空気を吹き出す吹出口３０が設けられている。一方、下部ダクト２４ｂの前端部（上流側端部）には、商品陳列室１６の下側で上方に向かって開口し、空気を吸い込む吸込口３２が設けられている。これら吹出口３０及び吸込口３２は、ケース本体１２の開口１２ａの左右幅方向に延在している。下部ダクト２４ｂには循環ファン２６が配置され、その下流側となる背部ダクト２４ｃの下部には冷却器２８が設置されている。
【００２４】
空気循環装置１８では、循環ファン２６を作動させると、吸込口３２から吸い込まれた空気が、順に下部ダクト２４ｂ、背部ダクト２４ｃ、上部ダクト２４ａを通って吹出口３０から吹き出された後、再び吸込口３２へと吸い込まれ、これにより吹出口３０と吸込口３２との間に空気の流れる層であるエアカーテンＡが上方左右方向に渡って形成される。この際、吹出口３０から吹出される空気は、冷却器２８によって冷却された冷気となっており、エアカーテンＡの一部は、棚板１４側に流れて商品陳列室１６内を冷却する。
【００２５】
次に、商品トレイ２０の構成について説明する。
【００２６】
図２は、棚板１４に対する商品トレイ２０の着脱構造を示す分解斜視図であり、図３は、棚板１４に商品トレイ２０を取り付けた状態での要部拡大側面図である。また、図４は、商品トレイ２０の構成図であり、図４（Ａ）は、平面図であり、図４（Ｂ）は、正面図であり、図４（Ｃ）は側面図である。
【００２７】
図１〜図３に示すように、商品トレイ２０は、棚板１４の前端部に起立形成されたガード部材２２に対して着脱されることにより、商品陳列室１６の前面側に突出するように設置される。
【００２８】
図２〜図４に示すように、商品トレイ２０は、ガード部材２２に対して着脱される取付部３４と、商品が収容・陳列される商品収容部（物品収容部）３６と、取付部３４と商品収容部３６との間を連結する連結部３８とを有し、平面視矩形状に形成されている。図２から明らかなように、本実施形態の場合、商品トレイ２０として、棚板１４よりも左右幅方向寸法が短い小型の容器を例示しているが、商品トレイ２０は、棚板１４と略同一の長尺な幅寸法を持つもの等であってもよい。また、商品トレイ２０は、１つの棚板１４に対して２個以上設置してもよく、さらには複数の棚板１４に対してそれぞれ１個又は２個以上設置してもよい。
【００２９】
取付部３４は、当該商品トレイ２０の上面後端部を下方に屈曲させた嵌合板３４ａと、嵌合板３４ａの裏面側に形成された嵌合溝３４ｂとを有し、商品ガード２２に対して上方から嵌合可能なフック部となっている。本実施形態の場合、商品ガード２２は、左右一対の支持アーム２１，２１間に渡って橋架された前板２２ａ及び後板２２ｂによって構成されている（図３参照）。後板２２ｂは、棚板１４の下面前端部を支持しつつ上方に屈曲して起立しており、その前方に所定の隙間を持って前板２２ａが起立している。図２及び図３に示すように、取付部３４は、嵌合板３４ａを前板２２ａと後板２２ｂの間の隙間に嵌挿し、嵌合溝３４ｂに前板２２ａを挿入することで商品ガード２２に対して着脱することができる。
【００３０】
商品収容部３６は、平面視矩形の収容凹部３６ａを有し、上面が開口した箱形状である。収容凹部３６ａ内には、例えばドレッシングの少量パック等の各種商品が収容・陳列される。
【００３１】
連結部３８は、取付部３４と商品収容部３６の上端間を連結する橋板３８ａと、橋板３８ａの左右幅方向に所定間隔で複数枚（本実施形態では３枚）設置された側面視略三角形状のリブである支持板３８ｂとから構成されている。橋板３８ａには、左右幅方向に並んで一対の空気通過孔４０，４０が形成されている。各空気通過孔４０は、橋板３８ａをその板厚方向（上下方向）に貫通した矩形の孔部であり、平面視で各支持板３８ｂと重ならない位置に形成されている（図４（Ａ）及び図４（Ｂ）参照）。各支持板３８ｂは、前端側が収容凹部３６ａの壁面から一体的に突出形成されると共に、その下縁部が後側に向かって次第に上方へと傾斜しており、後端側には取付部３４の嵌合溝３４ｂの前面壁を形成する上下方向の支持端面３８ｃが設けられている（図３及び図４（Ｃ）参照）。各支持板３８ｂの支持端面３８ｃは、商品収容部３６に収容された商品の重みによって当該商品トレイ２０が前のめりに傾こうとした際に商品ガード２２の前板２２ａと当接し、それ以上の傾きを防止する。
【００３２】
このような商品トレイ２０が取付部３４によって所定の棚板１４の前端部に設けられた商品ガード２２に装着されると、図１に示すように、商品トレイ２０は、商品陳列室１６の前方へと突出し、吹出口３０から吸込口３２へと流れるエアカーテンＡの途中に介在する。この際、商品トレイ２０の前後方向で略中央にある連結部３８には、上下方向に貫通した空気通過孔４０が形成されているため、エアカーテンＡを形成する空気は、この空気通過孔４０内を通過して円滑に下方へと流れ、エアカーテンＡが商品トレイ２０によって乱されることが回避される。これにより、エアカーテンＡを乱すことなく、当該ショーケース１０で商品を選定する客から見て、棚板１４より手前側に商品トレイ２０を設置することができ、客は、棚板１４に載置された商品を選定しつつ、商品収容部３６内の商品を選定することが可能となり、高い利便性を提供することができる。
【００３３】
２．  第２の実施形態に係るショーケースの説明
図５は、本発明の第２の実施形態に係るショーケース５０の構成を模式的に示す側面断面図である。図６は、図５に示すショーケース５０の棚板５２の平面図であり、図７は、図６に示す棚板５２の前端部周辺を示す側面図である。この第２の実施形態に係るショーケース５０において、上記第１の実施形態に係るショーケース１０と同一又は同様な機能及び効果を奏する要素には同一の参照符号を付し、詳細な説明を省略する。
【００３４】
先ず、ショーケース５０の全体構成について説明する。
【００３５】
図５に示すように、ショーケース５０は、図１に示すショーケース１０と比べて、棚板１４及び商品トレイ２０に代えて、構成の異なる棚板５２及び商品トレイ（物品陳列容器）５４を備える以外は、ショーケース１０と同一又は同様な構成となっている。
【００３６】
棚板５２は、商品陳列室１６内で上下方向に複数段（図５では５段の構成を例示）設置され、商品が載置・陳列される商品陳列棚である。棚板５２は、その内部に空間が形成され、該空間が空気を流通させる棚板ダクト５６を構成している。棚板ダクト５６は、棚板５２の後側から前側に向かって延在しており、背面板１６ｃを貫通して空気通路２４の背部ダクト２４ｃと連通している。棚板ダクト５６の前端部は、下方に向かって突出しつつ開口し、棚板側吹出口５８となっている。棚板側吹出口５８は、棚板５２の前面（前端面）に沿って形成されている。
【００３７】
図５〜図７に示すように、棚板５２の前面側には、その前端面５２ａに対して所定の隙間を有して空気ガイド板６０が固定されている。空気ガイド板６０は、棚板５２の前端面５２ａの左右幅方向に沿って延在するように配置されており、ハット型金具６１によって該前端面５２ａと対向するように取り付けられている。これら棚板５２と空気ガイド板６０との間のスリット状の隙間が空気通過孔６２となる。
【００３８】
空気ガイド板６０は、吹出口３０から吹き出す空気の流れを下方に誘導する機能を有する。すなわち、ショーケース５０では、吹出口３０から吹き出す空気の流れが空気ガイド板６０に当たって下方に誘導されつつ空気通過孔６２を通過し、エアカーテンＡが形成される。また、空気ガイド板６０は、棚板５２の上面に沿って商品陳列室１６の前面の開口１２ａから外部に漏れ出そうとする冷気を空気通過孔６２側へと誘導する機能も有する。本実施形態では、空気ガイド板６０の前面側に、上方を向いたクリップ部６０ａが設けられている。クリップ部６０ａは、プライスカード取付用レールとして利用されると共に、商品トレイ５４の取付ブラケットとしても利用される。
【００３９】
このようなショーケース５０では、空気循環装置１８の循環ファン２６を作動させると、吸込口３２から吸い込まれた空気が、順に下部ダクト２４ｂ、背部ダクト２４ｃ、上部ダクト２４ａを通って吹出口３０から吹き出された後、各段の棚板５２の前端面５２ａと空気ガイド板６０との間に設けられた空気通過孔６２を通って再び吸込口３２へと吸い込まれる。これにより吹出口３０と吸込口３２との間に空気の流れる層であるエアカーテンＡが形成され、その一部が棚板５２側に流れて商品陳列室１６内を冷却する。さらに、ショーケース５０では、背部ダクト２４ｃを流れる冷気の一部が棚板ダクト５６を通って棚板側吹出口５８から吹き出され、エアカーテンＡの内側に別の空気の流れる層であるエアカーテンＢを形成する。エアカーテンＢを形成する空気についても、エアカーテンＡと混ざって各段の空気通過孔６２を通って再び吸込口３２へと吸い込まれ、その一部が棚板５２側に流れて商品陳列室１６内を冷却する。
【００４０】
次に、商品トレイ５４の構成について説明する。
【００４１】
図５〜図７に示すように、商品トレイ５４は、棚板５２の前端部に固定された空気ガイド板６０に対して着脱されることにより、商品陳列室１６の前面側に突出するように設置される。
【００４２】
図６及び図７に示すように、商品トレイ５４は、空気ガイド板６０に対して着脱される取付部３４と、商品が収容・陳列される商品収容部３６とを備える。つまり、商品トレイ５４は、図４に示す商品トレイ２０と比べて、連結部３８を持たず、取付部３４と商品収容部３６とが一体化された構成となっている。商品トレイ５４についても、上記した商品トレイ２０と同様に、その寸法や設置位置、設置数等を適宜変更可能である。取付部３４は、上記した商品トレイ２０の取付部３４と同様な構成であり、嵌合板３４ａを空気ガイド板６０のクリップ部６０ａに嵌挿し、嵌合溝３４ｂにクリップ部６０ａの前面板６０ｂを挿入することで空気ガイド板６０に対して着脱することができる。この際、商品収容部３６の背面となる支持端面６４が、上記した商品トレイ２０の支持端面３８ｃと同様に、商品収容部３６に収容された商品の重みによって当該商品トレイ５４が前のめりに傾こうとした際にクリップ部６０ａの前面板６０ｂと当接し、それ以上の傾きを防止する。
【００４３】
このような商品トレイ５４が取付部３４によって所定の棚板５２の前端部に設けられた空気ガイド板６０に装着されると、図５に示すように、商品トレイ５４は、商品陳列室１６の前方へと突出するが、空気通過孔６２より前方に配置されているため、エアカーテンＡ，Ｂから離間した位置にあり、これらの空気の流れを乱すことがない。つまり、ショーケース５０では、棚板５２と商品トレイ５４との間に空気ガイド板６０によってエアカーテンＡ，Ｂが通過する空気通過孔６２を形成し、且つ商品トレイ５４を空気ガイド板６０の前側に着脱するため、商品トレイ５４がエアカーテンＡ，Ｂを乱すことがない。これにより、エアカーテンＡ，Ｂを乱すことなく、当該ショーケース５０で商品を選定する客から見て、棚板５２より手前側に商品トレイ５４を設置することができ、客は、棚板５２に載置された商品を選定しつつ、商品収容部３６内の商品を選定することが可能となり、高い利便性を提供することができる。
【００４４】
３．  第１及び第２の実施形態に係るショーケースの作用効果の説明
以上のように、上記実施形態に係るショーケース１０（５０）によれば、商品陳列室１６の前方に突出するように棚板１４（５２）の前端部に設けられて物品陳列容器となる商品トレイ２０（５４）を備え、商品トレイ２０（５４）の商品収容部３６と棚板１４（５２）との間に、吹出口３０から吸込口３２へと流れる空気（エアカーテンＡ）を通過させる空気通過孔４０（６２）を設けている。このため、商品トレイ２０（５４）が設置される棚板１４（５２）自体の商品収容量を低減することなく、商品トレイ２０（５４）による利便性が追加される。しかも空気通過孔４０（６２）によってエアカーテンＡの空気流れが乱れることを防止できる。すなわち、商品トレイ２０（５４）による高い利便性と、エアカーテンＡによる高い保冷性能とを両立させることができる。
【００４５】
この場合、商品トレイ２０（５４）は、棚板１４（５２）に対して着脱可能に構成されているため、商品トレイ２０（５４）を設置する際に、棚板１４（５２）の交換等の作業が不要であり、商品トレイ２０（５４）の設置自由度が高く、その利便性が一層高いものとなっている。勿論、商品トレイ２０（５４）を棚板１４（５２）に対して着脱可能とせず、例えば、溶接等によって固着する構成としてもよい。この構成の場合には、商品トレイ２０（５４）の設置時や交換時に、棚板１４（５４）自体の交換が必要となってその作業性が多少低下することになるが、商品トレイ２０（５４）を一旦設置した後は頻繁に移動等を行う必要のない用途等であれば有効に利用できる。
【００４６】
第１の実施形態に係るショーケース１０の商品トレイ２０では、棚板１４に対して取り付けされる取付部３４と商品収容部３６との間を連結する連結部３８に空気通過孔４０を形成している。このため、商品トレイ２０の棚板１４への設置位置や設置数等に関わらず、商品トレイ２０が棚板１４に装着されている際には必ずエアカーテンＡの通過用の空気通過孔４０を設置することができる。
【００４７】
空気通過孔４０の形状は、図４（Ａ）に示すような矩形のもの以外であってもよく、その設置数も適宜変更可能である。例えば、商品トレイ２０は、図８に示すように、連結部３８の橋板３８ａに複数のスリット状の空気通過孔７０を形成した商品トレイ（物品陳列容器）７２として構成してもよく、つまり、空気通過孔の形状や設置数は、エアカーテンＡを円滑に通過させることができるものであればよい。
【００４８】
第２の実施形態に係るショーケース５０では、商品トレイ５４に空気通過孔を設けず、棚板５２の前端面５２ａに所定間隔を介して空気ガイド板６０を設置し、この空気ガイド板６０と棚板５２の前端面５２ａとの間の隙間を空気通過孔６２として形成すると共に、空気ガイド板６０の前側に商品トレイ５４を取り付ける構成としている。このため、商品トレイ５４の棚板５２への設置位置や設置数等に関わらず、また、商品トレイ５４を棚板５２に装着されているか否かに関わらず、棚板５２の前面側には常にエアカーテンＡ，Ｂの通過用の空気通過孔６２が確保され、商品トレイ５４が設置されていても当然に該空気通過孔６２が塞がれることがない。
【００４９】
なお、本発明は、上記した実施形態に限定されるものではなく、本発明の主旨を逸脱しない範囲で自由に変更できることは勿論である。
【００５０】
例えば、上記第２の実施形態に係るショーケース５０として、図５では、上下方向で全ての段の棚板５２に空気ガイド板６０を設けて空気通過孔６２を形成した構成を例示したが、商品トレイ５４を取り付ける棚板５２のみに空気ガイド板６０を装着し、他の棚板５２には装着しない構成等としてもよい。また、棚板５２についても、棚板１４と同様に、棚板ダクト５６を持たない構成としても勿論よい。
【符号の説明】
【００５１】
１０，５０  ショーケース
１２  ケース本体
１４，５２  棚板
１６  商品陳列室
１８  空気循環装置
２０，５４，７２  商品トレイ
２２  ガード部材
２４  空気通路
３０  吹出口
３２  吸込口
３４  取付部
３６  商品収容部
３８  連結部
４０，６２，７０  空気通過孔
６０  空気ガイド板
【図１】
2014198069.tif 000003
【図２】
2014198069.tif 000004
【図３】
2014198069.tif 000005
【図４】
2014198069.tif 000006
【図５】
2014198069.tif 000007
【図６】
2014198069.tif 000008
【図７】
2014198069.tif 000009
【図８】
2014198069.tif 000010